(57)【要約】【課題】  シャッターと光アダプターとで構成され、シャッターを光アダプターに簡易に装着できる光コネクタを提供すること。【解決手段】  光コネクタにおいて、前記光コネクタは、光ファイバーを収容保持するハウジングと、前記光ファイバーからの光を遮蔽するシャッター１０とを有する。シャッター１０は、１枚の板材から形成され、前記光ファイバーからの光を遮蔽する遮光部１と、前記シャッターを前記ハウジングに保持するための係止部５とを有する。前記係止部５は相手側光コネクタとの嵌合離脱方向に前記ハウジングヘ挿入することにより、前記ハウジングに係止され、前記嵌合離脱方向と直交する前記遮光部の幅方向の両側で、かつ前記遮光部の外測に一対の係止部を当該シャッター１０に一体に形成した。【選択図】      図２
2007121614.tif 000002
【特許請求の範囲】
【請求項１】
光コネクタに収容されるシャッターにおいて、前記シャッターは、１枚の板材から形成され、光ファイバーからの光を遮蔽する遮光部と、当該シャッターを前記光コネクタのハウジングに保持するための係止部とを有し、前記係止部は相手側光コネクタとの嵌合離脱方向に当該ハウジングヘ挿入することにより、前記ハウジングに係止され、前記嵌合離脱方向と直交する前記遮光部の幅方向の両側で、かつ前記遮光部の外測に一対の前記係止部を前記シャッターに一体に形成したことを特徴とするシャッター。
【請求項２】
請求項１に記載のシャッターにおいて、前記嵌合離脱方向において、前記係止部とは反対側に形成され、前記シャッターを前記ハウジングに挿入する際に押圧するための押圧部を備えていることを特徴とするシャッター。
【請求項３】
光コネクタにおいて、前記光コネクタは、光ファイバーを収容保持するハウジングと、前記光ファイバーからの光を遮蔽するシャッターとを有し、前記シャッターは、１枚の板材から形成され、前記光ファイバーからの光を遮蔽する遮光部と、前記シャッターを前記ハウジングに保持するための係止部とを有し、前記係止部は相手側光コネクタとの嵌合離脱方向に前記ハウジングヘ挿入することにより、前記ハウジングに係止され、前記嵌合離脱方向と直交する前記遮光部の幅方向の両側で、かつ前記遮光部の外測に一対の前記係止部を当該シャッターに一体に形成したことを特徴とする光コネクタ。
【請求項４】
請求項３に記載の光コネクタにおいて、前記嵌合離脱方向において、前記係止部とは反対側に当該シャッターを前記ハウジングに挿入する際の押圧部を当該シャッターに一体に形成したことを特徴とする光コネクタ。
【発明の詳細な説明】
【技術分野】
【０００１】
本発明は、光コネクタに関し、詳しくは、光アダプター用シャッターとそれを用いた光コネクタに関する。
【背景技術】
【０００２】
従来、光コネクタのシャッターは、目を保護するために、光アダプターの内部に組み込まれる。そのシャッターは、金属の薄板で成形され、その弾性を利用し、光プラグの通常の嵌合，離脱でシャッターが開閉する。
【０００３】
従来は、光アダプター開口部端面に手動のシャッターを設けた例があるが、その手間が面倒であり、部品点数が増え、コストが高く、サイズも大きくなるという不都合な点を備えている。
【０００４】
従来の光プラグの挿入によって開放するシャッターを備えた光コネクタとして、例えば、特許文献１には、図７（ａ）及び（ｂ）に示す光コネクタが開示されている。具体的には、図７（ａ）及び（ｂ）に示すように、ＭＰＯ形光コネクタ（その光コネクタ光プラグである光コネクタ１１８、１２２）プラスチック製スリーブ状のハウジング１１８ａ、１２２ａ先端に、ＪＩＳ  Ｃ  ５９８１に制定されるＭＴ形光コネクタである光コネクタフェルール１２３を収容した構成であり、光ファイバー１２５ａは、光コネクタフェルール１２３の接合端面１２３ａの中央部の限られた領域に配列されている。
【０００５】
図７（ａ）及び（ｂ）に示すように、シャッター本体部１４１の大きさ、形状、配置位置、向き等は、ＰＨハウジング１１６側に接続されている光コネクタ１２２先端の光コネクタフェルール１２３の接合端面１２３ａに露出されている光ファイバー１２５ａから直線状に出射される出射光を遮光できるようになっている。
【０００６】
図７（ａ）に示すように、光コネクタ１２２が挿入接続されたＰＨハウジング１１６をＢＨハウジング１１３に嵌合して組み立てた光コネクタ光アダプター１５０に挿入作業側から光コネクタ１１８を挿入して、光コネクタ光アダプター１５０内で光コネクタ１１８、１２２同士を接続する。その際、コネクタ穴１３３に光コネクタ１１８を挿入しようとする押圧力によってシャッター１４０のシャッター本体部１４２をコネクタ穴１３３のＰＨハウジング１１６側に押し倒すようにして弾性変形させつつ、コネクタ穴１３３に光コネクタ１１８を押し込んで、ＰＨハウジング１１６側の光コネクタ１２２と接続すれば良い。
【０００７】
ここで、ＭＰＯ形光コネクタである光コネクタ１１８、１２２同士の接続は、各光コネクタ１１８、１２２先端の光コネクタフェルール２３同士の突き合わせ接続であり、図７（ａ）に示すように、被接続側光コネクタ１２２の光コネクタフェルール１２３に固定して接合端面１２３ａから突出させた前記ガイドピン１２３ｂに、挿入作業側から挿入接続される光コネクタ１１８先端の光コネクタフェルール１２３の接合端面１２３ａに開口されているガイドピン穴１２３ｃ（図７（ｂ）参照）に挿入嵌合することで、一対の光コネクタフェルール１２３間を精密位置決めして接合端面１２３ａ同士を突き合わせ接合し、両光コネクタ１２３の接合端面１２３ａに露出されている光ファイバー１２４ａ、１２５ａ同士を光接続するようになっている。
【０００８】
シャッター本体部１４２は、光コネクタ１１８のコネクタ穴１３３への挿入が進行していくに伴い、次第に差し込み部１４１に対する傾斜角度θが縮小して、差し込み部１４１に接近するようにして弾性変形され、これによりコネクタ穴１３３への突出寸法が縮小してゆくようになっており、コネクタ穴１３３への光コネクタ１１８の挿入の妨げにならない。光コネクタ１１８の挿入が開始すれば、被接続側光コネクタ１２２からの出射光は光コネクタ１１８によって遮光される。そして、最終的に、光コネクタ１１８が被接続側光コネクタ１２２に接続されることで、接続作業が完了する。
【０００９】
光コネクタ１１８、１２２同士の接続状態は、光コネクタ１１８を挿入作業側に引っ張って光コネクタの光アダプター１５０から引き抜くことで解除できる。
【００１０】
次に、図８（ａ）〜（ｅ）の上面図、正面図、側面図、背面図、及び底面図を用いて、光コネクタのシャッター１４０について説明する。図８（ａ）〜（ｅ）に示すように、シャッター１４０は、ステンレス板等の金属薄板材の成形によって１部品として形成され、板状の差し込み部１４１と、この差し込み部１４１の一端から連結部４３を介して折り返すようにして屈曲されたシャッター本体部１４２とを有している。差し込み部１４１とシャッター本体部１４２との間の内角は、３０〜７０度程度の傾斜角度θを有している。
【００１１】
シャッターをハウジングに挿入するには、図９（ａ）及び（ｂ）に示すように、差し込み部１４１は、ＢＨハウジング１１３の内部ハウジング１３２の挿入作業側端面１３２ｂに開口して形成された差し込み溝１３５に圧入して嵌合固定されるようになっている。この差し込み部１４１は、連結部１４３から延出する平板部１４４と、この平板部１４４の対向する両側を該差し込み部１４１の前記差し込み溝１３５への挿入方向に沿って延びる屈曲線１４５を以てシャッター本体部１４２の側に向けて立ち上げるようにして屈曲成形した一対の補強リブ１４６とを有しており、差し込み溝１３５も前記差し込み部１４１の断面形状に対応して、コ字状の断面形状に形成されている。
【００１２】
差し込み溝１３５は、差し込み部１４１の平板部１４４が挿入される平板部挿入溝１３５ａと、この平板部挿入溝１３５ａの左右両端から９０度屈曲するようにして形成され、補強リブ１４６が挿入されるリブ挿入溝１３５ｂとを有している。
【００１３】
平板部１４４は、内部ハウジング１３２のコネクタ穴１３３の長軸にほぼ平行に延在形成されており、その左右方向中央部がキー溝１３３ａに連通されている。また、リブ挿入溝１３５ｂは、平板部挿入溝１３５ａの左右両端から、該平板部挿入溝１３５ａがキー溝１３３ａに連通されているコネクタ穴１３３に向けて延びている。
【００１４】
シャッター１４０は、差し込み部１４１を差し込み溝１３５に圧入することで圧入して嵌合固定することで、シャッター本体部１４２がコネクタ穴１３３の中央部に配置された状態で光コネクタ光アダプター１５０に取り付けられる。このとき、シャッター本体部１４２は、コネクタ穴１３３のキー溝１３３ａと差し込み溝１３５との連通部分を介してコネクタ穴１３３に張り出すように突出される。但し、シャッター本体部１４２は、差し込み部１４１に対する傾斜角度θによって、連結部１４３からコネクタ穴１３３からＰＨハウジング１１６側に傾斜した状態で設けられる。
【００１５】
このように、特許文献１では、シャッターの固定方法は、圧入による固定なので専用の圧入治具が必要になり、その準備、製作をしなければならなく、生産場所も限られる。
【００１６】
特許文献２にも同様にシャッターを持つ光コネクタが開示されている。
【００１７】
図１０は特許文献２に示された光コネクタの分解組立斜視図、図１１は図１０の光コネクタの部分断面図である。図１０及び図１１を参照すると、特許文献２に示された光コネクタ１５１における光アダプター型のコネクタ本体１５２は、前後両側から夫々１対のＬＣ型光プラグ１５３を装着して２本の光ファイバーを光接続する為のものである。
【００１８】
コネクタ本体１５２は、第１本体分割体１５４と、第２本体分割体１５５とを背中合わせ状態にして一体的に固着したものである。
【００１９】
第１本体分割体１５４、第２本体分割体１５５には、１対の光プラグ装着穴１５６、１対の光プラグ装着穴（図示せず）が前端開放状及び後端開放状に夫々形成されている。但し、第２本体分割体１５５にはシャッター部材を設けない。前記第１本体分割体１５４の後端と第２本体分割体１５５の前端にはそれら両者の結合と、コネクタ本体１５２のパネルＰ（図１１参照）への固定の為にフランジ部１５７，１５８が形成されている。第１本体分割体１５４の上側壁部には、コネクタ本体１５２をパネルＰに固定した状態に固定保持する為の弾性変形可能な１対の係止爪１５９が形成されている。コネクタ本体１５２の下側壁部１６０には１つの係止爪１６１が形成されている。
【００２０】
光ファイバーの端部を別の光ファイバーに接続する為のＬＣ型光プラグ１５３は、一般的な構造のものであり、光プラグ１５３の内部には光ファイバーの端部を保持したフェルールが可動に装着されてスプリングにより弾性付勢され、光プラグ１５３の上面側にはレバー部１６２、１対の係止突起１６３、操作レバー部１６４が形成され、光プラグ１５３を光プラグ装着穴１５６に装着した状態では、レバー部１６２が下方へ弾性変形し、１対の係止突起１６３がコネクタ本体１５２の１対の係止段部１６５（図１１参照）で係止されて抜け止めされた状態になる。
【００２１】
次に、図１１及び図１２に示すように、シャッター部材１８０は、１対の光プラグ装着穴１５６に配置される左右１対のシャッター部１８１と、左右１対のアンカー部１８２と、これらシャッター部１８１とアンカー部１８２とを連結する左右に連続した前端板部１８３とを一体形成したものである。
【００２２】
１対のシャッター部１８１は前端板部１８３の上端から後方へ斜め上方へ延び、１対のアンカー部１８２は、前端板部１８３の下端から後方へ延びている。各シャッター部１８１の前部には第１屈曲部１８４と第２屈曲部１８５とが形成されている。
【００２３】
各アンカー部１８２は、前端板部１８３の端部から後方へアンカー穴１８８内へほぼ直線的に延びるアンカー本体板部１８６と、アンカー本体板部１８６の後端から前方且つ内側へＶ字状に折り返えした抜止め板部１８７とを備えている。シャッター部材１８０の各シャッター部１８１は、光プラグ装着穴１５６内でレーザ光を遮断する遮断位置と、光プラグ装着穴１８６に装着された光プラグ１８３により下側壁側１６０へ押圧された退避位置とに亙って弾性変形可能に構成されている（図１１参照）。
【００２４】
次に、コネクタ本体１５２のうちの第１本体分割体１５４にシャッター部材１８０を取り付ける為の構造について説明する。
【００２５】
図１１及び図１２に示すように、コネクタ本体１５２の第１本体分割体１５４の１対の光プラグ装着穴１５６の外側の下側壁部１６０に、シャッター部材１８０の１対のアンカー部１８２を、前方から光プラグ装着方向と平行に挿入して固定可能な１対のアンカー穴１８８が形成されている。
【００２６】
各アンカー穴１８８は、下側壁部１６０の前端に開口するように形成され且つシャッター部材１８０のアンカー部１８２が偏平に弾性変形した態で通過可能な偏平穴部１８８ａと、この偏平穴部１８８ａの奥端に連通し偏平穴部１８８ａよりも内側へ拡大した拡大穴部１８８ｂとを備えている。１対の拡大穴部１８８ｂは、係止爪１６１の内側において連通している。各拡大穴部１８８ｂの前端部の内側部に、アンカー部１８２の抜止め板部１８７の前端の自由端部１８７ａが当接する傾斜状（又は湾曲状）の受止め部１８９が形成されている（図１２参照）。
【００２７】
コネクタ本体１５２の各光プラグ装着穴１５６の内面のうち下側壁部１６０側の内面に、退避位置に切り換えられたシャッター部材１８０のシャッター部１８１を逃す浅い角溝状の逃し溝１７０が形成されている。コネクタ本体１５２にシャッター部材１８０を組み付けた状態では、図１１及び図１２に示すように、シャッター部１８１とアンカー部１８２の境界部に形成された前端板部１８３は、下側壁部１６０の前端の前端溝１７１に嵌合して当接し、シャッター部１８１が光プラグ装着穴１５６内に後方上がりの約４５度の傾斜状に配設され、アンカー部１８２のアンカー本体板部１８６が偏平穴部１８８ａを挿通して拡大穴部１８８ｂに突入し、アンカー部１８１の抜止め板部１８７の自由端部が傾斜状の受止め部１８９で受け止められている。図１２に示すように、シャッター部材１８０の前端板部１８３と抜止め板部１８７の自由端部１８７ａとで下側壁部１６０の前端壁部１６０ａを挟持することで、シャッター部材１８０が前後方向に移動不能状態に組み付けられる。
【００２８】
特許文献２は、コネクタの高さ方向において、シャッター面と保持部とが同一の位置にあるため、コネクタの高さを低くすることができない。また、シャッターを光アダプターに固定する際には、シャッター面が変位する変位位置にある前端板部を押圧して保持させる構成なので、これから延在したシャッター面が変形する恐れがある。
【００２９】
【特許文献１】特開２００３−１３９９９９号公報
【特許文献２】特開２００５−１７５９８号公報
【発明の開示】
【発明が解決しようとする課題】
【００３０】
本発明の一技術的課題は、シャッターのハウジングへの係止部の構成を改善することで、光コネクタの高さを低くすることができるシャッターとそれを備えた光コネクタとを提供することにある。
【００３１】
さらに、本発明の他の技術的課題は、シャッターのハウジングへの係止部を確実に押し込むことができ、シャッター面の変形を防止することができるシャッターとそれを備えた光コネクタとを提供することにある。
【課題を解決するための手段】
【００３２】
本発明によれば、光コネクタに収容されるシャッターにおいて、前記シャッターは、１枚の板材から形成され、光ファイバーからの光を遮蔽する遮光部と、当該シャッターを前記光コネクタのハウジングに保持するための係止部とを有し、前記係止部は相手側光コネクタとの嵌合離脱方向に当該ハウジングヘ挿入することにより、前記ハウジングに係止され、前記嵌合離脱方向と直交する前記遮光部の幅方向の両側で、かつ前記遮光部の外測に一対の係止部を前記シャッターに一体に形成したことを特徴とするシャッターが得られる。
【００３３】
また、本発明によれば、前記シャッターにおいて、前記嵌合離脱方向において、前記係止部とは反対側に形成され、前記シャッターを前記ハウジングに挿入する際の押圧部を備えていることを特徴とするシャッターが得られる。
【００３４】
また、本発明によれば、光コネクタにおいて、前記光コネクタは、光ファイバーを収容保持するハウジングと、前記光ファイバーからの光を遮蔽するシャッターとを有し、前記シャッターは、１枚の板材から形成され、前記光ファイバーからの光を遮蔽する遮光部と、前記シャッターを前記ハウジングに保持するための係止部とを有し、前記係止部は相手側光コネクタとの嵌合離脱方向に前記ハウジングヘ挿入することにより、前記ハウジングに係止され、前記嵌合離脱方向と直交する前記遮光部の幅方向の両側で、かつ前記遮光部の外測に一対の係止部を当該シャッターに一体に形成したことを特徴とする光コネクタが得られる。
【００３５】
さらに、本発明によれば、前記光コネクタにおいて、前記嵌合離脱方向において、前記係止部とは反対側に当該シャッターを前記ハウジングに挿入する際の押圧部を当該シャッターに一体に形成したことを特徴とする光コネクタが得られる。
【発明の効果】
【００３６】
本発明によれば、シャッターは、弾性を利用しワンタッチで光アダプターに組み込めるため、特別な治具も必要なく、指だけの操作で可能であり生産場所も限定されないシャッターとそれを用いた光コネクタとを提供することができる。
【００３７】
また、本発明によれば、シャッター面の外側に一対の係止部を有する構成によって、光コネクタの高さを低くすることができるシャッターとそれを備えた光コネクタとを提供することができる。
【００３８】
さらに、本発明によれば、シャッターを挿入保持する際の押圧部を有する構成なので、シャッターを固定保持の際に係止部を確実に押し込むことができ、シャッター面の変形を防止することができるシャッターとそれを備えた光コネクタとを提供することができる。
【発明を実施するための最良の形態】
【００３９】
以下、本発明の実施の形態について図面を参照しながら説明する。
【００４０】
図１は本発明の第１の実施の形態による光アダプターを示す斜視図である。図１を参照すると、この光コネクタは２個の光アダプター２０Ａ及び２０Ｂの一端同士を合わせ、組み合わせて、他端に夫々従来技術によって示した光プラグを挿入して、夫々の端部に設けられたてフェルール同士を接触させて結合させる構成である。光アダプター２０Ａは、外郭をなす箱型ハウジング２５Ａを備え、内部の端面側にフェルールを収容する円筒形状のホルダーが設けられ、反対側の端部には、光シャッターが挿入されて構成されるものである。光アダプター２０Ｂも光アダプター２０Ａと同様に、外郭をなす箱型ハウジング２５Ｂを備え、内部の端面側にフェルールを収容する円筒形状のホルダーが設けられ、反対側の端部には、光シャッターが挿入されて構成されるものであり、これらの構成はシャッターとその取り付け構造が異なる他は従来と同様である。
【００４１】
具体的には、光アダプター２０Ａ，２０Ｂは箱型ハウジング２５Ａ，２５Ｂによって、外郭部を構成されている。箱型ハウジング２５Ａ，２５Ｂは、上壁１６、底壁１１、及びこれらの同じ側の側部を夫々連絡する両側壁１２，１２を備えている。なお、アダプター２０Ａ，２０Ｂのいずれか特定しない場合を符号２０で示し、同様にハウジング２５Ａ，２５Ｂのいずれかを特定しない場合を符号２５Ａ，２５Ｂで示す。夫々のハウジング内部には、フェルール５０（図６参照）を収容するための円筒状のホルダーが設けられている。箱型ハウジング２５Ａの端部の一端の上下には、フランジ２６，２６が形成されている。また、上部壁１６の外側上面には、光アダプター２０Ｂとの結合のロックを解除するロック部材の操作部１８が形成されている。また、天井面側には、光プラグ６０（図６参照）の挿入をガイドするプラグガイド溝１７ａが形成されている。
【００４２】
同様に、箱型ハウジング２５Ｂの端部の一端の下部には、フランジ２６，２６が形成されている。また、上壁１６の外側上面には、光アダプター２０Ａとの結合のロックを行うロック部材が形成されている。また、天井面側には、光アダプター２０Ａと同様に光プラグの挿入をガイドするガイド溝が形成されている。
【００４３】
箱型ハウジング２５Ａは、開口１７から両側壁の内面に四角にくぼんだガイド部と、その下部に後に述べるシャッター１０の挿入をガイドするガイド溝１３が底壁１１の内側面との間に、開口１７から一端側に向かって形成されている。
【００４４】
箱型ハウジング２５Ｂも同様にガイド部とガイド溝が形成されている。
【００４５】
図２は本発明の第１の実施の形態によるシャッターを示す斜視図である。図３（ａ）は図２のシャッターの上面図、図３（ｂ）は正面図、図３（ｃ）は底面図、図３（ｄ）は側面図である。図２及び図３（ａ），（ｂ），（ｃ），（ｄ）を参照すると、シャッター１０は、目を保護するために、光アダプター２０の内部に組み込まれる。このシャッター１０は、バネ性を備えた一枚の金属の薄い板材からのプレスによって成形され、四角形の先端に移動するにつれて次第にその幅が狭くなるテーパ形状の板材からなり、光アダプター２０に嵌合される光プラグ６０からの光を遮る遮光部１と、遮光部１の先端にＲをなして形成された先端Ｒ部２と、遮光部１から丸く折り曲げられた断面Ｕ字形状の基部３と、基部３の後端から後方に延び、光アダプターの内側底面と接触する平面部４と、平面部４の後端両側から後方に延びて後、手前側に折り返されて斜め上前方に延びる端部を備え、光アダプターに固定するための弾性を備えた係止部５と、平面部４の前端両側から前方に延びる押圧部６とを備えている。
【００４６】
遮光部１は図２に良く示されるように、その幅及び先端の位置は、相手側光プラグの光ファイバーが覗けない寸法になっている。遮光部１の先端は光プラグと擦られる箇所であり、先端Ｒ部２を設けることにより、光プラグとの接触箇所を金属薄板材のエッジでなくすことができ、光プラグとの接触がスムーズになり、光プラグに付く傷を無くすことができる。尚、先端が金属エッジ部のままで、擦られると、光プラグに傷が付いてしまう。
【００４７】
また、遮光部１は、反り上がって形成されていて弾性を有するが、平面、曲面又はそれらの組み合わせから形成されている。
【００４８】
また、平面部４と遮光部１とを連結する基部３は１８０°折り返して形成されているが、１８０°未満であってもよいことは勿論である。
【００４９】
図４（ａ），（ｂ），及び（ｃ）は図２のシャッターを光アダプターに組み込む手順を順に示す斜視図である。
【００５０】
図４（ａ）に示すように、光アダプター２０は、断面角型のハウジング２５の側壁１２の一端側に、四角に窪んで設けられたガイド部１５と、側壁１２に設けられ底面１１との間に形成された溝１３とを備え、溝１３内の上下には、係止部５の先端と基部の前後と係止して、シャッター１０の離脱を防止する突起１４ａ，１４ｂとを備えている。
【００５１】
光アダプター２０にシャッター１０を組み込むには、図４（ａ）に示すように、光アダプター２０の側壁１２の内部の両側に設けられた夫々の溝１３に、シャッター１０の両側に設けられた係止部５を挿入する。
【００５２】
また、図３（ｃ）に示すように、平面部４の係止部５を形成する部分の間の面４ａが斜線で示すように切り欠かれているので、遮光部１との干渉が防止され、光アダプターの高さを低くすることができる。
【００５３】
係止部５は、折り曲げられた部分から平面部４に平行に前方に延びる部分と、平行に延びる部分の終端から斜め上方に延びる部分とで形成されている。
【００５４】
平面部４は組み込みの際に、光アダプター２０の内壁と接することで、その位置が決まる。
【００５５】
また、押圧部６は、遮光部１と繋がる箇所の両脇に、平面部４の延長を持たせ、その端面に形成され、光アダプター２０に挿入する際の光アダプター２０への挿入時最後の押す面とする。シャッター１０を光アダプター２０への挿入する際、最後に押す面として、平面部４から遮光部１に連続する箇所の両端に、平面部の延長を設け、その端面を押圧部６としている。このことで、遮光部１の表面に接触しなくとも良く、遮光面の変形を防ぐことができる。また、押圧部６によって、内部に遮光部１を移動させて配置することができるので、開口よりもアダプターの内側にガイド部を設けることができ、光プラグとの嵌合がより正確となる。
【００５６】
図４（ｂ）に示すように、係止部５は溝１３にガイドされて、内部に進行する。その際に、係止部５の先端が、天井面が低くなる突起１４ａを乗り越える際に、弾性変形して、突起１４ａを乗り越えた後に再び復帰する。
【００５７】
図４（ｃ）に示すように、さらに進行すると、係止部５の後端が突起１４ｂ当接するとともに、係止部５の先端が突起１４ａを乗り越えて溝１３の天井面に当接するように、弾性変形から復帰して広がる。したがって、係止部５の前後が突起１４ａ，１４ｂに夫々挟み込まれて、前後の移動を夫々係止した状態となり、組み込みが終了となる。この状態では、係止部５に常にプリロードがかかっており、光アダプターの穴に突っ張った状態で固定されるので、シャッター１０ががたつくこともない。
【００５８】
図５（ａ）は本発明の第２の実施の形態によるシャッターの底面図、図５（ｂ）は上面図である。本発明の第２の実施の形態による光コネクタは、シャッターの構造が異なるほかは、第１の実施の形態と同様な構成を備えている。
【００５９】
具体的には、図５（ａ），（ｂ）を参照すると、本発明の第２の実施の形態によるシャッター１０´は、バネ性を備えた一枚の金属板からのプレスによって成形され、長方形の少し上方に折り曲げ部１７を介して鈍角をなして折り曲げられた板材からなる遮光部１と、遮光部１の先端にＲをなして形成された先端Ｒ部２と、遮光部１の基部に連続した平面部４と、平面部４の両側から後方に延びて後、手前側に折り曲げられて前方に延びる係止部５と、平面部４の両側から前方に延びる押圧部６とを備えている。係止部５は、折り曲げられた部分から平面部に平行に前方に延びる部分と、平行に延びる部分の終端から斜め上方に延びる部分とで形成されている。
【００６０】
図５に示す第２の実施の形態によるシャッター１０´も、図４に示すものと同様に、光アダプター２０に組み込まれ、その際に押圧部６を介して押圧されるので、遮光部１が変形することはない。また、押圧部６によって開口１７から離れて、遮光部１を設けることができるが、開口１７内部にプラグのガイドを設けることができる。
【００６１】
図６は本発明の光アダプターに光プラグを嵌合する例を第１の実施の形態による光プラグに嵌合する場合を例に取って説明する。
【００６２】
図６に示すように、光プラグ６０は、光アダプター２０に嵌合する光プラグ６０の外郭をなす嵌合部６５と、光ファイバーの先端を保持してフェルールに接続するとともにフェルール５０を保持する保持部６４と、図示しない光ファイバーを備えた光ケーブルを保持する光ケーブル支持部６７と、嵌合部６５に設けられたレバー６２と、操作部６３とを備えている。保持部６４はコイルバネ６６によって前方に付勢されている。このバネ６６は円筒部６８によって一端を支持されている。フェルール５０の先端は、嵌合部の開口よりも前方に突出して設けられている。
【００６３】
光アダプター２０の、シャッター１０が付かない側の開口部に光プラグ６０を嵌合した状態で、シャッター１０が付く側の開口部から光アダプター２０の内部を、あらゆる角度から覗いた時でも、遮光部１の先端は、光プラグ６０と同様な構成を備えた相手側光プラグのフェルール５０の中央の光ファイバー端面が見ない位置にある。遮光部１の幅も、同様に相手側の光ファイバー端面が見えないだけの幅を有する。
【００６４】
また、係止部５及び平面部４には、遮光部１変形時に干渉しない様に、シャッターの幅に合わせ、切り欠き４ａを持たせている。
【００６５】
このような光プラグ６０を光アダプター２０に嵌合させるように、矢印２１で示す方向に、光プラグ６０を移動させると、シャッター１０の傾斜はフェルール先端面５１と、嵌合部６５の周囲との傾斜よりも小さく形成されているので、まず、嵌合部６５の周囲の端部６１ａがシャッター１０に当接し、進行する際に次第にその傾斜が小さくなるように、シャッター１０を押し倒すので、フェルール先端面５１がシャッター１０に接触しないので、光接続で重要な箇所であるフェルール先端面５１を汚したり、シャッター１０に接触して傷をつけることはない。
【００６６】
一方、プラグ抜去時は、シャッター１０は、その弾性のため、光プラグ６０を抜くと元の形状に戻る。
【００６７】
以上説明したように、本発明の実施の形態による光コネクタのシャッター１０，１０´においては、光アダプター２０との係止も、弾性を利用しており、特別な治具無しで組み込むことができ、光アダプター２０への装着も簡易である。
【産業上の利用可能性】
【００６８】
以上説明したように、本発明に係るシャッターは、光ケーブルを接続するための光アダプターのシャッターに適用される。
【図面の簡単な説明】
【００６９】
【図１】本発明の第１の実施の形態による光アダプターを示す斜視図である。
【図２】本発明の第１の実施の形態によるシャッターを示す斜視図である。
【図３】（ａ）は図２のシャッターの上面図である。（ｂ）は図２のシャッターの正面図である。（ｃ）は図２のシャッターの底面図である。（ｄ）は図２のシャッターの側面図である。
【図４】（ａ），（ｂ），及び（ｃ）は図２のシャッターを光アダプターに組み込む手順を順に示す図である。
【図５】（ａ）は本発明の第２の実施の形態によるシャッターの側面図である。（ｂ）は（ａ）の上面図である。
【図６】本発明の光アダプターに光プラグを嵌合する例を第１の実施の形態による光プラグに嵌合する場合を例に取って説明するための断面図である。
【図７】（ａ）及び（ｂ）は従来技術による光コネクタを示す部分断面図である。
【図８】（ａ）〜（ｅ）は図７の光コネクタのシャッター１４０を説明するための図で、（ａ）は上面図，（ｂ）は正面図，（ｃ）は側面図，（ｄ）は背面図，（ｅ）は底面図である。
【図９】（ａ）及び（ｂ）は図７のシャッター挿入動作の説明に供せられる斜視図である。
【図１０】特許文献２に示される光コネクタの組み立てを示す斜視図である。
【図１１】図１０の光コネクタの断面図である。
【図１２】図１１の部分拡大断面図である。
【図１３】図１０の光コネクタのシャッターの斜視図である。
【図１４】図１０の光コネクタのシャッターの側面図である。
【符号の説明】
【００７０】
１    遮光部
２    先端Ｒ部
３    基部
４    平面部
４ａ    切り欠き
５    係止部
６    押圧部
１０，１０´    シャッター
１１    底面
１２    側壁
１３    溝
１４ａ，１４ｂ    突起
１５    ガイド部
２０，２０Ａ，２０Ｂ    光アダプター
２１    矢印
２５Ａ，２５Ｂ    ハウジング
２６    フランジ
５０    フェルール
５１    フェルール先端面
６０    光プラグ
６１    端部
６２    レバー
６３    操作部
６４    保持部
６５    嵌合部
６６    コイルバネ
６７    光ケーブル支持部
６８    円筒部
１１３    ＢＨハウジング
１１６    ＰＨハウジング
１１８，１２２    光コネクタ
１１８ａ，１２２ａ    ハウジング
１２３    光コネクタフェルール
１２３ａ    接合端面
１３２    内部ハウジング
１３２ｂ    挿入作業側端面
１３３    コネクタ穴
１３３ａ    キー溝
１３５    差し込み溝
１４０    シャッター
１４１    差し込み部
１４２    シャッター本体部
１４３    連結部
１４４    平板部
１４６    補強リブ
１５０    光コネクタ光アダプター
１５１    光コネクタ
１５２    コネクタ本体
１５３    ＬＣ型光プラグ
１５４    第１本体分割体
１５５    第２本体分割体
１５６    光プラグ装着穴
１５７，１５８    
１５９    係止爪
１６０    下側壁部
１６１    係止爪
１６２    レバー部
１６３    係止突起
１６４    操作レバー部
１６５    係止段部
１７１    前端溝
１７３，１７４，１７５    屈曲部
１８０    シャッター部材
１８１    シャッター部
１８２    アンカー部
１８３    前端板部
１８４    第１屈曲部
１８５    第２屈曲部
１８６    アンカー本体板部
１８７    抜止め板部
１８８    アンカー穴
１８８ａ    偏平穴部
１８８ｂ    拡大穴部
１８９    受止め部
【図１】
2007121614.tif 000003
【図２】
2007121614.tif 000004
【図３】
2007121614.tif 000005
【図４】
2007121614.tif 000006
【図５】
2007121614.tif 000007
【図６】
2007121614.tif 000008
【図７】
2007121614.tif 000009
【図８】
2007121614.tif 000010
【図９】
2007121614.tif 000011
【図１０】
2007121614.tif 000012
【図１１】
2007121614.tif 000013
【図１２】
2007121614.tif 000014
【図１３】
2007121614.tif 000015
【図１４】
2007121614.tif 000016